(57)【要約】【課題】      口元や顎の付近に生じたしわやたるみを目立たなくすることができるような、しわ・たるみ取り方法およびこの方法の実施に使用する用具であって、簡単に装着することができる挟持具を提供する。【解決手段】  ２つの自由端部分が開閉可能であり、一方の自由端部分に小さな面積の耳孔側押え部材が、他方の自由端部分に大きな面積の頬側押え部材と飾り部材とが設けられた挟持具であり、耳珠付近を挟持するものである。頬側押え部材は柔軟で且つその表面が皮膚に対して滑り難い素材で構成され、耳孔側押え部材は柔軟な素材で構成される。この挟持具を開いた状態で、耳孔側押え部材を耳孔側の耳珠に当接し、そして顔面の皮膚を耳に向って引上げた状態で挟持具の自由端部分を閉じて、手繰り寄せたしわ・たるみを頬側押え部材で保持する。【選択図】    図１
2006043414.tif 000002
【特許請求の範囲】
【請求項１】
２つの自由端部分が開閉可能であり、一方の自由端部分の面積が小さく、他方の自由端部分の面積が大きい挟持具を使用し、前記小さい自由端部分の内側を耳孔側の耳珠に当接し、顔面の皮膚を耳に向って引上げた状態で前記挟持具の自由端部分を閉じることを特徴とするしわ・たるみ取り方法。
【請求項２】
頬側押え部材と耳孔側押え部材とにより耳珠付近を挟持するためのしわ・たるみ取り用挟持具であり、該挟持具は２つの自由端を有し且つ該自由端が開閉可能な挟持具本体と、該挟持具本体の一方の自由端の内側に取着された前記頬側押え部材と、該頬側押え部材と同じ自由端の外側に取着された飾り部材と、前記挟持具本体の他方の自由端の内側に取着された前記耳孔側押え部材とからなり、前記頬側押え部材は柔軟で且つその表面が皮膚に対して滑り難い素材で構成され、前記耳孔側押え部材は柔軟な素材で構成され、前記耳孔側押え部材の面積が小さく、前記頬側押え部材の面積が大きいことを特徴とするしわ・たるみ取り用挟持具。
【請求項３】
前記頬側押え部材の面積が前記耳孔側押え部材の面積の２倍以上であることを特徴とする請求項２記載のしわ・たるみ取り用挟持具。
【請求項４】
前記頬側押え部材の面積が２ｃｍ２ 以上であることを特徴とする請求項２または３記載のしわ・たるみ取り用挟持具。
【請求項５】
前記飾り部材が第１飾り部材と第２飾り部材とからなり、第１飾り部材は前記挟持具本体の前記一方の自由端に固着されており、第２飾り部材は前記第１飾り部材に着脱自在であることを特徴とする請求項２〜４のいずれか１項に記載のしわ・たるみ取り用挟持具。
【請求項６】
前記第２飾り部材は前記第１飾り部材に対して磁力により固定可能であることを特徴とする請求項５記載のしわ・たるみ取り用挟持具。
【請求項７】
前記挟持具本体が前記頬側押え部材および前記飾り部材を支持する第１支持部材と前記耳孔側押え部材を支持する第２支持部材とからなり、前記第１支持部材の端部と前記第２支持部材の端部とが枢軸連結され、前記両支持部材は開状態ではその開状態が維持され、前記両支持部材の端部のなす角度が少なくとも１００°以下では閉方向に付勢されることを特徴とする請求項２〜６のいずれか１項に記載のしわ・たるみ取り用挟持具。
【発明の詳細な説明】
【技術分野】
【０００１】
本発明は顔のしわを伸ばしたりたるみを取ったりするための方法およびその用具に関するものである。
【背景技術】
【０００２】
年齢とともに目尻や口元にしわが生じたり、顎のあたりや頬にたるみが生じたりするが、女性はこのようなしわやたるみを気にする傾向がある。このようなしわなどを防ぐために、栄養クリームや乳液などを塗布したり、マッサージを行ったりしている。しかしながら、このような化粧品により、しわやたるみを取ろうとしても、肌に潤いを与えることはできるが、究極的なしわやたるみの原因を取り除くことはできなかった。
【０００３】
このような目尻や口元にできてしまったしわやたるみを伸ばしたりするための矯正用具が種々提案されている。例えば、特開２０００−２２９０１４号公報（特許文献１）には、頭の左右側面の髪に結合される２つの結合具と、両結合具を結ぶ連結紐とからなる皺伸ばし装置が開示されている。このものは結合具に左右側面の髪を結付けて髪を引張ることにより目尻の皺を伸ばそうとするものである。
【０００４】
また、特開平０９−１６８４２４号公報（特許文献２）には、ゴム等の帯状物の両端に粘着シートを取付けて、この粘着シートをこめかみ付近に貼付けることによって目尻付近のしわを取除くことが提案されている。
【０００５】
また、特開２００２−２４１２２２号公報（特許文献３）には、両端に接着部分を設けた透明のテープの一端を耳下の顎の皮膚に貼付け、テープの他端を耳の後側に貼付けるようにすることにより、顎のたるみを取除くようにすることが提案されている。
【特許文献１】特開２０００−２２９０１４号公報
【特許文献２】特開平０９−１６８４２４号公報
【特許文献３】特開２００２−２４１２２２号公報
【発明の開示】
【発明が解決しようとする課題】
【０００６】
しかしながら、従来提案されているしわ取り用の矯正具には種々の問題がある。例えば、特許文献１において提案されているようなものでは、髪の毛を引張るので髪の毛が傷むという欠点があり、また髪の毛を結合具に結んだ状態とするために髪形が決まってしまい、また、こめかみ付近の髪の毛が後頭部側に引張られるので、目尻の付近が余計に目立つ状態となってしまう等の種々の問題がある。
【０００７】
同様の問題は特許文献２および３におけるしわ、たるみ矯正具においても生じる。しかも特許文献２や特許文献３においては、粘着剤や接着剤を使用して皮膚に貼付けるようにしているものであり、塗布された粘着剤（接着剤）によって皮膚がかぶれたりすることがある。また、目尻や耳の下部から後方にかけて貼られたテープは目立つものであり、目立たないようにするには髪の毛によって隠さなくてはならず、ヘアスタイルが特定されてしまうという問題がある。
【０００８】
本発明は、このような従来のしわ取り用具の問題点を解決し、簡単に実施でき、特に、口元や顎の付近に生じたしわやたるみを目立たなくすることができるような、しわ・たるみ取り方法およびこの方法の実施に使用する用具であって、簡単に装着することができる挟持具を提供することである。また、本発明の目的は、しわやたるみを目立たせなくするとともに、装飾を兼ねたものとして、より一層おしゃれを楽しめるようにすることである。
【課題を解決するための手段】
【０００９】
本発明によれば、２つの自由端部分が開閉可能であり、一方の自由端部分の面積が小さく、他方の自由端部分の面積が大きい挟持具を使用し、前記小さい自由端部分の内側を耳孔側の耳珠に当接し、顔面の皮膚を耳に向って引上げた状態で前記挟持具の自由端部分を閉じることを特徴とするしわ・たるみ取り方法により上記目的を達成する。
【００１０】
また、本発明によれば、頬側押え部材と耳孔側押え部材とにより耳珠付近を挟持するためのしわ・たるみ取り用挟持具であり、該挟持具は２つの自由端を有し且つ該自由端が開閉可能な挟持具本体と、該挟持具本体の一方の自由端の内側に取着された前記頬側押え部材と、該頬側押え部材と同じ自由端の外側に取着された飾り部材と、前記挟持具本体の他方の自由端の内側に取着された前記耳孔側押え部材とからなり、前記頬側押え部材は柔軟で且つその表面が皮膚に対して滑り難い素材で構成され、前記耳孔側押え部材は柔軟な素材で構成され、前記耳孔側押え部材の面積が小さく、前記頬側押え部材の面積が大きいことを特徴とするしわ・たるみ取り用挟持具により上記目的を達成する。
【００１１】
本発明のしわ・たるみ取り用挟持具においては、前記頬側押え部材の面積が前記耳孔側押え部材の面積の２倍以上であることが好ましい。
【００１２】
また、本発明のしわ・たるみ取り用挟持具においては、前記頬側押え部材の面積が２ｃｍ２ 以上であることが好ましい。
【００１３】
本発明のしわ・たるみ取り用挟持具においては、前記飾り部材が第１飾り部材と第２飾り部材とからなり、第１飾り部材は前記挟持具本体の前記一方の自由端に固着されており、第２飾り部材は前記第１飾り部材に着脱自在であることが好ましい。この場合、前記第２飾り部材は前記第１飾り部材に対して磁力により固定可能であることが好ましい。
【００１４】
本発明のしわ・たるみ取り用挟持具は、前記挟持具本体が前記頬側押え部材および前記飾り部材を支持する第１支持部材と前記耳孔側押え部材を支持する第２支持部材とからなり、前記第１支持部材の端部と前記第２支持部材の端部とが枢軸連結され、前記両支持部材は開状態ではその開状態が維持され、前記両支持部材の端部のなす角度が少なくとも１００°以下では閉方向に付勢されることが好ましい。
【発明の効果】
【００１５】
本発明によれば、顔面下部のしわやたるみを本発明の挟持具で挟持するだけで、簡単に取ることができる。
【００１６】
本発明の挟持具は、耳の耳珠の箇所に装着するものであり、その挟持具の外側には飾り部材が取付けられているので、本発明の挟持具を装着した状態では耳飾り（イヤリング）と同じように見えるので、外観上も違和感がなく、おしゃれをするとともにしわやたるみを目立たなくすることができる。
【００１７】
本発明の挟持具では、頬側押え部材はその表面が皮膚に対して滑り難い素材で構成され且つその面積が広いので、大きな面積で皮膚をしっかり保持することができ、しわ取り、たるみ取り効果が大きなものとなる。
【００１８】
また、本発明の挟持具においては、頬側押え部材および耳孔側押え部材は何れも柔軟なもので出来ているので、耳珠の付近は萼関節があり皮膚が薄いものであるが、押え部材が柔軟であるので痛くならずに挟持具を装着することができる。また、耳珠の部分は耳たぶに比較して硬い部分であるが、頬側押え部材および耳孔側押え部材の何れもが柔軟な素材で出来ているので痛くない。
【００１９】
更に、本発明の挟持具において、飾り部材全体またはその一部が挟持具本体の自由端に対して着脱自在とすると、その着脱可能な飾り部材を何種類か用意することにより、服装に合わせたお洒落を楽しむことができる。
【発明を実施するための最良の形態】
【００２０】
図１は本発明のしわ・たるみ取り用挟持具を装着した状態を示す説明図であり、図２は耳（耳介）の各部の名称を説明するための耳の正面図である。図３は本発明のしわ・たるみ取り用挟持具の一実施例の側面図であり、図４は図３に示したしわ・たるみ取り用挟持具の各部材を分解した状態を示すものであり、（ａ）は挟持具本体の一実施例の斜視図、（ｂ）は頬側押え部材の一実施例の平面図、（ｃ）は飾り部材の一実施例の平面図、（ｄ）は耳孔側押え部材の一実施例の平面図である。
【００２１】
図１に示すように、本発明のしわ・たるみ取り用挟持具は耳に付けるものである。図２に示すように、耳介の各部分は、顎関節付近の耳珠Ａ、耳たぶ（耳朶）Ｂ、耳珠Ａに向かい合う対珠Ｃ、耳の外側部分である耳輪Ｄである。符号Ｅは外耳道となる耳孔を示している。
【００２２】
通常、イヤリングは耳たぶＢに装着するものである（なお、耳輪Ｄに装着するタイプのイヤリングもある）。しかし、本発明のしわ・たるみ取り用挟持具１は耳のうちでも耳珠Ａに示す箇所に付けるものである。特に、本発明のしわ・たるみ取り用挟持具１により顎や頬の下方部分のしわやたるみを取る場合は、Ａ１に示すような耳珠Ａの下方部分に装着することが好ましい。また、本発明のしわ・たるみ取り用挟持具１により頬の部分のたるみやしわを取る場合は、耳珠Ａの上方部分Ａ２に装着することが好ましい。
【００２３】
図３に示すように、本発明のしわ・たるみ取り用挟持具１は、挟持具本体１０と挟持具本体１０に取付けられる頬側押え部材２０および飾り部材３０と耳孔側押え部材４０とから構成されるものである。
【００２４】
図４（ａ）に示すように、挟持具本体１０は第１支持部材１１と第２支持部材１２とからなっており、両者はその端部において枢軸連結され、他端に２つの自由端を有している。そして枢軸連結により開状態と閉状態がとれるものである。この実施例においては、挟持具本体１０は金属製であり、図３に示すように、第１支持部材１１の自由端部１１ａは頬側押え部材２０および飾り部材３０を支持するのに適した平たい部分となっている。図４（ａ）において、枢軸側の部分は立上がりブラケット１１ｂとなっており、その端部に袖金部１１ｃが設けられており、袖金部１１ｃの中心に軸穴１１ｄが形成されている。第２支持部材１２の自由端部１２ａは耳孔側押え部材４０を支持するのに適したカーブ部分或いは平たい部分となっている。第２支持部材１２の自由端部１２ａと反対側の部分は端から２本のスリットが切込まれ、３本の脚部に分かれている。２つの外側の脚部１２ｂ、１２ｂの上端は折曲げられ枢軸部となっており、第１支持部材１１の袖金部１１ｃの軸穴１１ｄに嵌合し、第１支持部材１１に枢支されている。第２支持部材１２の中央の脚部１２ｃの端部は第１支持部材１１の立上がりブラケット１１ｂの上端部に接触しており、ばね状態となっている。
【００２５】
このばね部により第１支持部材１１の立上がりブラケット１１ｂと第２支持部材１２の脚部１２ｂ、１２ｂとのなす角度が少なくとも１００°以下では閉方向に付勢される。また、第１支持部材１１と第２支持部材１２とは上記角度を越えた状態では開状態のままである。
【００２６】
頬側押え部材２０は、第１支持部材１１の自由端部１１ａの内側に（すなわち、閉じた状態で第２支持部材１２と対向する側の面）に接着剤等により取着されている。第１支持部材１１の自由端部１１ａの外側には飾り部材３０が取付けられている。第２支持部材の自由端部１２ａには耳孔側押え部材４０が接着剤等により取着されている。
【００２７】
なお、頬側押え部材２０および耳孔側押え部材４０は自由端部１１ａまたは自由端部１２ａに固着してもよいし、或は着脱可能に取付けてもよい。着脱可能とした場合は、押え部材２０、４０の表面が汚れた際に取外して洗うことができるので便利である。着脱可能とするには、粘着剤を使用したり、或は自由端部１１ａまたは自由端部１２ａに係合部（例えば、穴）を設け、押え部材２０、４０にも係合部（例えば、穴に嵌合可能な突起）を設けて、係合したり、外したり出来るようにすればよい。
【００２８】
図３に示すように頬側押え部材２０は耳孔側押え部材４０と協働するものであり、耳に向って引上げた顔の皮膚を挟持、保持するもののである。そのため、頬側押え部材２０を柔軟で且つその表面が皮膚に対して滑り難い素材で構成して、皮膚をしっかり把持できるようにする。頬側押え部材２０の素材としては、柔軟で且つその表面が皮膚に対して滑り難い素材であれば特に限定されないが、例えば、バックスキン、合成繊維性のバックスキン風の生地、粘着性を有するシリコーン  ゲル（ジェル）  シート、シリコーンゴム、発泡体などが好ましい。
【００２９】
耳孔側押え部材４０は柔軟な素材で構成されるが、頬側押え部材２０と同じ素材でもよいし、別の素材でもよい。耳孔側押え部材４０は、皮膚に対する滑り難さよりも、耳孔側に当てるので、耳が痛くないように柔軟性を優先する。
【００３０】
また、耳孔側押え部材４０は耳孔側に当てるのでその面積は小さく、他方、頬側押え部材２０は耳に向って引上げた顔の皮膚を挟持、保持するために、面積は大きい。頬側押え部材２０の面積は耳孔側押え部材４０の面積に比較して２倍以上であることが好ましい。また、頬側押え部材２０の面積は２ｃｍ２ 以上とすることが好ましい。また、頬側押え部材２０の長さ（図１に示すように、耳に装着した際に上下方向となる長さ）が１．５ｃｍ以上あると、幅をもって皮膚を引き上げられるので、好ましい。
【００３１】
なお、図４（ｂ）に頬側押え部材２０の一実施例の形状を、そして図４（ｄ）に耳孔側押え部材４０の一実施例の形状を示したが、これらの部材２０、４０の形状は図示したものに限定されない。例えば、頬側押え部材２０は柔軟な素材であるので、図５（ａ）、（ｂ）や図６（ｂ）に示した飾り部材と同様の形状とできる。
【００３２】
飾り部材３０は本発明のしわ・たるみ取り用挟持具を、図１に示すように、耳珠Ａに付けたときに、耳の前に手繰り寄せた皺が隠れることが望ましい。このため、頬側押え部材２０と同じまたはそれよりも大きいことが好ましい。図４（ｃ）に示した飾り部材３０は柔らかな生地で制作され、頬側押え部材２０よりも大きい、花の形状のものでありる。しかし、飾り部材３０の形状、材質は図示したものに限定されるものではない。図５（ａ）および（ｂ）はそれぞれ飾り部材３０の別の実施例の平面図であり、図５（ａ）は細長い形状のものであり、図５（ｂ）は縦方向および横方向に幅のある形状のものである（なお、図４（ｃ）の飾り部材３０は実物よりも大幅に拡大して示しており、図５の飾り部材３０は実物よりやや大きく示している）。
【００３３】
耳珠Ａの側には顎関節があり、口を動かすと非常によく動く部分があるので、飾り部材３０が硬い素材で形成されている場合に、飾り部材３０がそのよく動く部分に接触していると、しわ・たるみ取り用挟持具１が外れ易い。そのため、飾り部材３０を硬い素材で形成した場合は、図５（ａ）に示すような細長い形状で、耳の縁に沿ったものとして、顎関節のよく動く部分に乗り上げないようにすることが好ましい。飾り部材３０を柔軟な素材で形成した場合は、図４（ｃ）や図５（ｂ）に示すような幅のあるものでもよい。
【００３４】
飾り部材３０は挟持具本体１０の第１支持部材１１の自由端部１１ａの外側に取付けられるが、飾り部材３０の全体を自由端部１１ａに固着してもよいし、或は飾り部材３０の全体またはその一部を自由端部１１ａに対して着脱自在としてもよい。図６は飾り部材３０の別の実施例を示し、（ａ）は第１支持部材１１の自由端部１１ａ側の部分断面図であり、（ｂ）は図６（ａ）に示した飾り部材の正面図である。図６に示した実施例においては飾り部材３０は第１飾り部材３１と第２飾り部材３２とからなる。第１飾り部材３１は挟持具本体１０の一方の自由端部１１ａに接着剤（図示せず）により固着されており、その外周縁は接着剤３５により頬側押え部材２０に接着され、第１飾り部材３１と頬側押え部材２０とにより自由端部１１ａが外から見えないようにしている。第２飾り部材３２は磁石３３により第１飾り部材３１に着脱自在である。第２飾り部材３２の一部３２ａが金属製であると、接着剤など使用しなくても、磁石３３に吸着されるが、磁石３３が紛失しないように第２飾り部材３２に接着剤で固定することが好ましい。挟持具本体１０の自由端部１１ａが金属製であるので、磁石３３が吸着され、従って、第２飾り部材３２は第１飾り部材３１に着脱自在に取付けられることになる。
【００３５】
図７は飾り部材３０の更に別の実施例を示す部分断面図である。この実施例においては、第１飾り部材３１がプレート３１ａと布３１ｂとからなり、プレート３１ａと布３１ｂの間に磁石３３が配置されている。第１飾り部材３１の外周縁は接着剤３５により頬側押え部材２０に接着されている。第２飾り部材３２はリング状の金属片３４に取付けられており、磁石３３に着脱自在に吸着される。
【００３６】
なお、第１飾り部材３１側および第２飾り部材３２の両方に磁石を設けてもよい。この場合は両磁石が吸着するように磁力の方向性を考慮して取付ける。また、飾り部材３０を第１飾り部材３１と第２飾り部材３２とに分けずに、飾り部材３０に磁石を取付けて、飾り部材３０全体を挟持具本体１０の第１支持部材１１の自由端部１１ａの外側に磁力により吸着するようにしてもよい。
【００３７】
本発明のしわ・たるみ取り用挟持具１を耳珠Ａの箇所に装着するには、先ず、挟持具本体１０を開いた状態とし、耳孔側押え部材４０を耳孔側の耳珠Ａに当接する。次に、しわ・たるみ取り用挟持具１を持った手とは反対の手で、顔面の皮膚を耳に向って引上げて、耳の前に皺を手繰り寄せて、その状態で挟持具本体１０を閉じて、頬側押え部材２０により手繰り寄せた皺を保持する。
【００３８】
前述したやり方は両手を使用したが、片手のみで操作を行ってもよい。すなわち、挟持具本体１０を開いた状態とし、耳孔側押え部材４０を耳孔側の耳珠Ａに当接し、片方の手の指で押さえながら、飾り部材３０の表面にその手の他の指を当て、皮膚を耳に向って引上げるようにしながら、挟持具本体１０を閉じる。
【００３９】
また、図６や図７に示した実施例のように第２飾り部材３２が着脱自在な場合は、第２飾り部材３２を取外しておいて、前述した何れかのやり方で挟持具１を耳珠Ａの箇所に装着し、その後、第２飾り部材３２を挟持具本体１０の自由端部１１ａに取付けるようにすると、挟持具１を耳に装着する際に第２飾り部材３２が邪魔にならず、装着し易い。
【００４０】
なお、本発明のしわ・たるみ取り用挟持具１はしわやたるみを取るには耳珠Ａ付近に装着することが必要であるが、耳たぶに付けた場合はしわやたるみを取る効果はないが、通常のイヤリングのように飾りとなる。しかも柔軟で滑り難い頬側押え部材２０と柔軟な耳孔側押え部材４０により耳たぶを挟持するので、痛くなく付けることができ、また頬側押え部材２０が滑り難い素材からなるので、挟持具を落とす心配もない。更に、本発明のしわ・たるみ取り用挟持具１を外出先で外した場合は、衣服の衿元に留めると、衿飾りとなると共に、紛失しにくくなる。
【００４１】
本発明における挟持具本体１０は図３に示したものに限定されず、２つの自由端を有し、第１支持部材と第２支持部材とからなり、両者がその端部において枢軸連結され、開状態と閉状態がとれるものであれば他の形態でもよい。
【００４２】
図８は挟持具本体１０の別の実施例を示す斜視図である。図３の実施例ではスリットを入れることによりばね部１２ｃを形成しているが、この実施例では、第２支持部材１２をＵ字状に折り曲げ、Ｕ字の一端を第１支持部材１１と枢軸連結し、Ｕ字の他端を第１支持部材１１の立上がりブラケット１１ｂの上端部に接触するようにしてもよい。この場合、Ｕ字の底部に相当する箇所に耳孔側押え部材が取付けられる。
【図面の簡単な説明】
【００４３】
【図１】本発明のしわ・たるみ取り用挟持具を装着した状態を示す説明図である。
【図２】耳（耳介）の各部の名称を説明するための耳の正面図である。
【図３】本発明のしわ・たるみ取り用挟持具の一実施例の側面図である。
【図４】図３に示したしわ・たるみ取り用挟持具の各部材を分解した状態を示すものであり、（ａ）は挟持具本体の一実施例の斜視図、（ｂ）は頬側押え部材の一実施例の平面図、（ｃ）は飾り部材の一実施例の平面図、（ｄ）は耳孔側押え部材の一実施例の平面図である。
【図５】図５（ａ）および（ｂ）はそれぞれ飾り部材の別の実施例を示す平面図である。
【図６】飾り部材の別の実施例を示す図であり、（ａ）は第１支持部材の自由端部側の部分断面図であり、（ｂ）は図６（ａ）に示した飾り部材の正面図である。
【図７】飾り部材の更に別の実施例を示す部分断面図である。
【図８】挟持具本体の別の実施例の斜視図である。
【符号の説明】
【００４４】
１  しわ・たるみ取り用挟持具
１０  挟持具本体
２０  頬側押え部材
３０  飾り部材
４０  耳孔側押え部材
Ａ  耳珠
【図１】
2006043414.tif 000003
【図２】
2006043414.tif 000004
【図３】
2006043414.tif 000005
【図４】
2006043414.tif 000006
【図５】
2006043414.tif 000007
【図６】
2006043414.tif 000008
【図７】
2006043414.tif 000009
【図８】
2006043414.tif 000010